(57)【特許請求の範囲】
【請求項１】
事故時自動復旧の対象とする電気回路に設けられたセンサ、開閉器の変化から正常回路に切換えて復旧させる自動復旧装置の復旧機能を推定される事故ケースのシミュレーション用データにより試験する方法であって、
前記電気回路に設けられる各センサの動作を推定される事故ケース毎に表示した故障標定表を作成する故障回路特定ステップと、前記電気回路に設けられる各開閉器の動作を推定される事故ケース毎に表示したポジション表を作成する動作表示ステップと、前記故障標定表およびポジション表の情報を推定される事故ケース毎に計算機に入力して前記電気回路に設けられる各開閉器の動作を事故ケース毎に表示した試験ケース表、表示灯の点灯結果である結果確認表、シミュレーション用データベースを演算出力させる計算機による演算ステップと、前記シミュレーション用データベースおよび試験ケース表を前記自動復旧装置に試験信号として入力する試験ステップと、この試験ステップにより自動復旧装置の応答結果を前記結果確認表と照合して良否を判定する判定ステップとを具備してなることを特徴とする事故自動復旧装置の試験方法。
【請求項２】
事故時自動復旧の対象とする電気回路に設けられたセンサ、開閉器の変化から正常回路に切換えて復旧させる自動復旧装置の復旧機能を推定される事故ケースのシミュレーション用データにより試験する方法であって、
前記電気回路に設けられる各センサの動作を推定される事故ケース毎に表示した故障標定表を作成する故障回路特定ステップと、前記電気回路に設けられる各開閉器の動作を推定される事故ケース毎に表示したポジション表を作成する動作表示ステップと、前記故障標定表およびポジション表の情報を推定される事故ケース毎に計算機の画面に表示された前記電気回路の配線図に入力して試験ケース表、結果確認表、シミュレーション用データベースを演算出力させる計算機による演算ステップと、前記シミュレーション用データベースおよび試験ケース表を前記自動復旧装置に試験信号として入力する試験ステップと、この試験ステップにより自動復旧装置の応答結果を前記結果確認表と照合して良否を判定する判定ステップとを具備してなることを特徴とする事故自動復旧装置の試験方法。
【請求項３】
事故時自動復旧の対象とする電力送電回路に設けられたセンサ、開閉器の変化から正常母線に切換えて復旧させる自動復旧装置の復旧機能を推定される事故ケースのシミュレーション用データにより試験する方法であって、
前記電力送電回路に設けられる各センサの動作を推定される事故ケース毎に表示した故障標定表を作成する故障回路特定ステップと、前記電力送電回路に設けられる各開閉器の動作を推定される事故ケース毎に表示したポジション表を作成する動作表示ステップと、前記故障標定表およびポジション表の情報を推定される事故ケース毎に計算機の画面に表示された前記電力送電回路の配線図に入力して試験ケース表、結果確認表、シミュレーション用データベースを演算出力させる計算機による演算ステップと、前記シミュレーション用データベースおよび試験ケース表を前記自動復旧装置に試験信号として入力する試験ステップと、この試験ステップにより自動復旧装置の応答結果を前記結果確認表と照合して良否を判定する判定ステップとを具備してなることを特徴とする事故自動復旧装置の試験方法。
【請求項４】
前記センサはガス圧力センサ、リレー回路であることを特徴とする請求項１乃至３いずれか１項記載の事故自動復旧装置の試験方法。
【請求項５】
前記開閉器は遮断器、断路器であることを特徴とする請求項１乃至３いずれか１項記載の事故自動復旧装置の試験方法。
【発明の詳細な説明】
【０００１】
【発明の属する技術分野】
本発明は、電気回路系の事故発生後速やかに復旧させる事故自動復旧装置の試験方法に関する。
【０００２】
【従来の技術】
電気回路系例えば変電所の電力送電回路の一部に落雷、地絡などで短絡事故などが発生した場合、できる限り速く送電を復旧させるために自動復旧装置が備えられている。電力送電回路は例えば図６に示す構成である。図６は変電所の母線から工場、ビル、需要者などへ送電する回線系統を示した回路結線図である。交流電力母線系は複数例えば甲、乙２系統の母線５１、５２を設備する。この甲、乙母線５１、５２の一方例えば甲母線５１に工場、ビル、需要者などへ送電する回線系統が主として使用されているものとする。
【０００３】
この状態で甲母線５１、５２の一方例えば甲母線５１に事故が発生したと仮定すると、自動復旧装置は乙母線５２が正常回路であることを確認して、乙母線５２に切替て停電時間を最短時間に復旧させる復旧機能を有する。即ち、甲母線５１に多数の回線系５３、５４が接続された例である。この回線系５３、５４は甲母線５１に断路器５５、事故センサとして例えば変流計５６、ガス圧力センサ５７、そして遮断器５８が直列接続されている。正常時は断路器５５を導通状態にして、甲母線５１の電流路で送電している回線である。
【０００４】
さらに、事故時速やかに自動復旧させるために遮断器５８と乙母線５２間には、断路器５９と事故センサ用変流計６０、ガス圧力センサ５７などの直列回路が接続されている。このようにして回線系５３、５４が構成されている。事故発生時に、自動復旧装置は断路器５５（又は５９）と遮断器５８を制御して停電時間が極めて短時間になるように母線を切替えて回線系５３、５４を保護している。即ち、甲母線５１の矢印６５で示す部分に短絡事故が発生したと仮定する。この結果、甲母線５１から送電されている回線系に大電流が流れる。
【０００５】
この電流は変流計５６が検出してリレー回路を動作させると、共にガス圧力センサ５７がガス圧力の低下を検出する。この検出後直ちに、遮断器５８が非導通状態（ＯＦＦ）に動作して下位回路を停電状態にする。上記リレー回路、ガス圧力センサ５７の検出結果により自動復旧装置が動作する。この自動復旧装置は乙母線５２の正常性を確認したのち、断路器５５をＯＦＦに切替えて、乙母線５２（正常回路）に切替え制御する。即ち、自動復旧装置は断路器５５をＯＦＦにした後、断路器５９を導通状態（ＯＮ）に制御して乙母線５２からの送電に切換える。この切替え後、遮断器５８を手動又は自動でＯＮにして停電時間が短時間になるように操作している。
【０００６】
このような機能を有する自動復旧システムの構成は図７に示す回路構成である。図６と同一回路は同一符号を用いて説明し、詳細な説明を省略する。正常時、断路器５５をＯＮにして甲母線１から回線系５３、５４に電力を供給し、事故が発生すると（事故時）、その事故がどの回路に発生したかを特定するためのリレー回路、ガス圧力センサ５７の出力が情報制御装置７１に入力される。
【０００７】
この情報制御装置７１に入力された上記回路情報は故障判定自動復旧制御回路７２との間でＬＡＮ７３を介したイーサネット通信により自動復旧のための信号処理を実行する。即ち、故障判定自動復旧制御回路７２は記憶されている事故前データと、事故時のデータとの変化を検出して故障個所を判定し、この故障を復旧させるための制御信号を出力する。この制御信号を作成する構成が自動復旧装置７４である。この自動復旧装置７４が出力する制御信号は情報制御装置７１、スターカプラ７５を介して各回線系５３、５４の回線単位制御盤７６、７７、７８に供給する。
【０００８】
回線単位制御盤７６〜７８は自動復旧装置７４からの指令により自動復旧する。このようにして自動復旧システムが構成されている。このような機能を有する自動復旧装置７４は工場で生産した後、出荷前に信頼性の高い試験を実施している。この試験は推定される多数の事故ケースを作成し、試験データとして情報制御装置７１にケース毎に入力して設計仕様を満足する動作をするか試験（テスト）している。即ち、シミュレーションによる自動復旧装置７４の試験（テスト）である。
【０００９】
次に、上記シミュレーション用データベースの作成手順を、図８のフローチャートを参照して説明する。図８は自動復旧装置を試験するためのシミュレーション用データベースを作成する手順を説明するためのフローチャートである。
【００１０】
まず、Ａステップについて説明する。作業者が紙面に上記したような推定される多数の故障のケースを「故障標定一覧表」として紙面に手作業で作成する。この故障標定一覧表は図６に示す各回路に接続されている各センサについて故障時の状態を示す表である。この表を推定される全ての故障ケース毎に多数作成する。
【００１１】
さらに、この「故障標定一覧表」に記載された各ケースについて、図６の各回路に接続されている回路部品毎の動作状態を示す「ポジション表（伝送関係）」を手作業で紙面に作成する。この表は事故前（正常）と事故後（事故発生時）の状態を作成する。
【００１２】
次に、Ｂステップについて説明する。上記ポジション表の各ケース毎に各回路要素の状変記録（試験ケース）を紙面上に手作業で作成する。この図は「系統状態確認図」と「描画データ確認図」の２種類ある。前者の系統状態確認図は図６に示された送電回路結線図における各回路についての状態の変化を、各故障ケース毎に紙面に図式化する。次の描画データ確認図は図６に示された送電回路結線図において故障発生個所を各故障ケース毎に図示する。さらに、状変メッセージを作成する。状変メッセージは図６に示す送電回路の各回路部品の動作状態を各故障ケース毎にリスト化する。
【００１３】
次に、Ｃステップについて説明する。図６の電力送電回路に接続された表示ランプの点灯状態を各故障ケース毎に結果確認表として手作業で紙面に作成する。
【００１４】
次にＤステップについて説明する。上記試験ケース表からシミュレーション用データベースを紙面に手書きで作成する。このデータベースは各ワード３２ビットである。各ワード毎に甲、乙各回路部品の動作を「１」「０」で表現したデータベースを事故前と事故後で一覧表にする。この事故前と事故後の表を比較することにより、どこで（どの回路で）事故が発生したかが判断できる。
【００１５】
自動復旧装置の出荷前のテストを、このようにして作成されたデータベースにより実施していた。また、このような自動復旧装置は各発電所や各変電所などのシステム構成が相違するため、全く同じ装置はなく、都度適合した装置が設計されている。従って、試験内容も設計に適合した内容に変更する必要があり、しかも信頼性の高い試験を実施する必要がある。
【００１６】
【発明が解決しようとする課題】
しかしながら、上記したテスト作業では、故障ケースが非常に多いために、手作業による作成は、高度な技術者が膨大な時間を費やしている。このようなテスト法では高い信頼性があるが、コストアップとなっている。安価な電力供給にも影響している。さらに、電気回路構成が全く同じものがないため、自動復旧装置も全て異なる。従って、装置毎にシミュレーションデータベースを作成する必要がある。このデータベースは高度な技術者により作成されため、高い信頼性が得られる反面、人間系の手入力は非常に誤入力が多い。この誤入力によるテストは自動復旧装置の信頼性を悪くするため、チェックによる誤り発見とその修正にもかなりのロス時間が発生する。さらにまた、試験終了後、自動復旧装置の成績表作成にも、さらに膨大な時間が掛かっていた。
【００１７】
本発明は上記点に対処してなされたもので、人間の方が信頼性の高い技術と人間によるミス発生確率の高い技術とを分析して、信頼性の高いテストを高速化するようにした事故自動復旧装置の試験方法を提供することを目的としたものである。
【００１８】
また、本発明は紙面への手作業を改め、ポジション表からパソコンへの手入力により試験ケース表、結果確認表、シミュレーション用データベースを自動的に作成したシミュレーションにより事故自動復旧装置を試験するようにした事故自動復旧装置の試験方法を提供するものである。
【００１９】
【課題を解決するための手段】
上記目的を達成するために、本発明の事故自動復旧装置の試験方法は、事故時自動復旧の対象とする電気回路に設けられたセンサ、開閉器の変化から正常回路に切換えて復旧させる自動復旧装置の復旧機能を推定される事故ケースのシミュレーション用データにより試験する方法であって、前記電気回路に設けられる各センサの動作を推定される事故ケース毎に表示した故障標定表を作成する故障回路特定ステップと、前記電気回路に設けられる各開閉器の動作を推定される事故ケース毎に表示したポジション表を作成する動作表示ステップと、前記故障標定表およびポジション表の情報を推定される事故ケース毎に計算機に入力して前記電気回路に設けられる各開閉器の動作を事故ケース毎に表示した試験ケース表、自動復旧装置に設けられる表示灯の点灯結果である結果確認表、シミュレーション用データベースを演算出力させる計算機による演算ステップと、前記シミュレーション用データベースおよび試験ケース表を前記自動復旧装置に試験信号として入力する試験ステップと、この試験ステップにより自動復旧装置の応答結果を前記結果確認表と照合して良否を判定する判定ステップとを具備してなることを特徴とする。
【００２０】
本発明の事故自動復旧装置の試験方法は、事故時自動復旧の対象とする電気回路のセンサ、開閉器に設けられた変化から正常回路に切換えて復旧させる自動復旧装置の復旧機能を推定される事故ケースのシミュレーション用データにより試験する方法であって、前記電気回路に設けられる各センサの動作を推定される事故ケース毎に表示した故障標定表を作成する故障回路特定ステップと、前記電気回路に設けられる各開閉器の動作を推定される事故ケース毎に表示したポジション表を作成する動作表示ステップと、前記故障標定表およびポジション表の情報を推定される事故ケース毎に計算機の画面に表示された前記電気回路の配線図に入力して試験ケース表、結果確認表、シミュレーション用データベースを演算出力させる計算機による演算ステップと、前記シミュレーション用データベースおよび試験ケース表を前記自動復旧装置に試験信号として入力する試験ステップと、この試験ステップにより自動復旧装置の応答結果を前記結果確認表と照合して良否を判定する判定ステップとを具備してなることを特徴とする。
【００２１】
本発明の事故自動復旧装置の試験方法は、事故時自動復旧の対象とする電力送電回路に設けられたセンサ、開閉器の変化から正常母線に切換えて復旧させる自動復旧装置の復旧機能を推定される事故ケースのシミュレーション用データにより試験する方法であって、前記電力送電回路に設けられる各センサの動作を推定される事故ケース毎に表示した故障標定表を作成する故障回路特定ステップと、前記電力送電回路に設けられる各開閉器の動作を推定される事故ケース毎に表示したポジション表を作成する動作表示ステップと、前記故障標定表およびポジション表の情報を推定される事故ケース毎に計算機の画面に表示された前記電気回路の配線図に入力して試験ケース表、結果確認表、シミュレーション用データベースを演算出力させる計算機による演算ステップと、前記シミュレーション用データベースおよび試験ケース表を前記自動復旧装置に試験信号として入力する試験ステップと、この試験ステップにより自動復旧装置の応答結果を前記結果確認表と照合して良否を判定する判定ステップとを具備してなることを特徴とする。
【００２２】
前記センサはガス圧力センサ、リレー回路であることを特徴とする。
前記開閉器は遮断器、断路器であることを特徴とする。
【００２３】
【発明の実施の形態】
次に、本発明に係る事故自動復旧装置の試験方法の実施形態について図１を参照して説明する。図１は事故自動復旧装置を試験するためのシミュレーション用データベース作成手順を説明するためのフローチャートである。自動復旧装置は図６で説明したので、同一回路は同一符号で説明して、その詳細な説明を省略する。この試験用データベース作成手順は人間の方が信頼性の高い技術と、人間によるミス発生確率の高い技術とを組み合わせて構成したものである。
【００２４】
即ち、前者の人間の方が信頼性の高い技術は「故障標定一覧表」、「ポジション表」の作成ステップである。後者の人間によるミス発生確率の高い技術は「故障標定一覧表、ポジション表」から作成する「試験ケース表、結果確認表、シミュレーション用データベース」などの作成ステップである。後者の作成ステップは計算機（コンピュータ）により自動的に作成する。このようにして、正確で、信頼性の高い多数の事故ケースを高速で作成するものである。次に、これらを具体的説明する。
【００２５】
Ａステップ
推定される故障ケース毎に「故障標定一覧表」を手作業で紙面上に作成する。
故障ケースの一実施形態について表１を参照して説明する。故障標定一覧表とは図６で説明した自動復旧の対象とする電力送電回路の配線図（系統図）に設けられている故障を実施する各センサーの動作状態を記載した表である。この表は推定される多数の事故（故障）のケース毎に作成する。従って、表１に示すように想定される事故発生時の各部品の動作が「正常」か、「異常」かで表示した表である。表１は故障標定一覧表の実施形態を説明するための表である。従って、異常表示された部品の回路で事故が発生していることを示す表である。即ち、故障回路が特定できる。
【００２６】
【表１】
0004236822.tif 000002
【００２７】
さらに、ポジション表を作成する。このポジション表は自動復旧の対象とする電力送電回路の配線図（系統図）を構成する各開閉器の動作状態を、各故障のケース毎に示した表で、表２に一例を示している。表２はポジション表の実施形態を説明するための表である。即ち、各回線５３、５４の断路器５５、５９や遮断器５８の動作状態を「ＯＮ」「ＯＦＦ」で表示した表である。
【００２８】
【表２】
0004236822.tif 000003
【００２９】
このような表１の故障標定一覧表と、表２のポジション表から系統図のどの回路で事故が発生したかが特定できる。
【００３０】
Ｂステップ
Ａステップで作成された故障標定一覧表、ポジション表の情報を計算機（コンピュータ）に入力する。このコンピュータ入力は例えばパソコン画面により入力する（ＣＡＤシステムの要領で画面から入力する）。図１はパソコン画面１を示している。このパソコンには、図６で説明した自動復旧の対象とする電力送電回路の配線図（系統図）が予め登録して記憶されている。この電力送電回路は図６に示す交流電力送電系即ち、変電所の母線５１、５２から工場、ビル、消費者などの各回線５３、５４へ送電する系統を示した回路である。
【００３１】
この電力送電回路は必要に応じてパソコン画面１に呼び出し表示することができる。表示されたパソコン画面に表１、２に示す故障標定一覧表およびポジション表に基づき、故障ケース毎に入力した図が系統状態図である。この系統状態図がパソコンに入力される。
【００３２】
Ｃ工程
この結果、パソコン１は自動的に予め入力されたソフトにより試験ケース表２、結果確認表３、シミュレーション用データベース４を作成し表示する。試験ケース表２には系統状態確認図と描画データ確認図とがある。前者の系統状態確認図は例えば図２に示す。後者の描画データ確認図は例えば図３に示す。先ず前者の系統状態確認図を説明する。図２は故障ケースの一実施形態を示した系統状態確認図である。このケースは甲母線１に地絡が発生した故障ケースの系統状態確認図である。
【００３３】
電力送電回路の配線図は図６で説明した甲、乙母線５１、５２から回線５３、５４を接続した構成である。この表において、□は遮断器を示し、○は断路器を示し、黒丸に×印６は断路器を事故前ＯＮで事故後ＯＦＦに切替えを示し、１重丸７は事故前ＯＦＦの断路器を示し、２重丸８は事故後のＯＮの断路器を示し、黒四角に×印９は事故により遮断器がＯＦＦになった状態を示す。
【００３４】
即ち、事故前は甲母線５１から回線５３、５４に電力を供給するように断路器５５、遮断器５８をＯＮに制御し、乙母線５２からの電力回路は断路器５９をＯＦＦして、待機状態に設定している。ある時、突然甲母線５１の１個所に例えば地絡が発生し、これを検知した時、遮断器５８をＯＦＦにする。その後、乙母線５２が正常であることを確認する。その後、甲母線５１および甲母線５１からの回線の断路器５５をＯＦＦにする。次に、乙母線５２からの回線に接続された断路器５９をＯＮに切替える。
【００３５】
図２は、このような一つの故障ケースの「系統状態確認図」を示している。
【００３６】
このような「系統状態確認図」は、図６の電力送電回路において推定される多数の故障ケースについてパソコンが演算して自動的に作成される。これら各「系統状態確認図」に対応する「描画データ確認図」もパソコンが自動的に作成する。描画データ確認図は図３に示すもので、各故障ケースについての故障した配線個所を示すものである。
【００３７】
図３は、図２の電力送電回路を絶縁ガス中に設定するために全ての配線１１をガス管１２内に設け、このガス管１２内に絶縁ガスを供給した構成を示している。このガス管１２に区画線１３が記載されているのは各ガス圧力センサのセンシングエリアを示している。図３にガス管１２を設けた図まで記載したのは、ガス圧力センサ５７の設けられるセンシングエリアを説明するために示したものである。
【００３８】
このガス圧力センサ５７は事故が発生した回路に大電流が流れることにより充填されているガス圧力が低下する。このガス圧力の変化をガス圧力センサ５７により検出して、情報として自動復旧装置に入力する。このような「描画データ確認図」はパソコンにより演算して自動的に作成される。図３はパソコン画面に一故障ケースとして描画データ確認図を表示した状態を示している。
【００３９】
次に、結果確認表３について説明する。この結果確認表３には状変メッセージ表と結果確認表がある。前者の状変メッセージ表は例えば表３に示し、後者の結果確認表は例えば表４に示す。
【００４０】
【表３】
0004236822.tif 000004
【表４】
0004236822.tif 000005
【００４１】
まず、前者の状変メッセージ表は各故障ケースにおける各開閉器の動作状態を示す。動作状態は「入」「切」で表示される。このような状変メッセージ表はパソコンが演算して自動的に作成される。後者の結果確認表は電力送電回路の配電盤のパネルに設けられる回路の表示灯が、各故障ケース毎に、点灯の有無を表示したものでパソコンが演算して自動的に作成される。この点灯は例えばＬＥＤ発光素子により表示することができる。
【００４２】
次に、シミュレーション用データベース４について説明する。このシミュレーション用データベース４は表５、表６に示すように１ワードを３２ビットで表現するもので、甲、乙母線系の各遮断器（Ｃｉｒｃｕｉｔ  Ｂｒａｋｅｒ＝ＣＢ）、断路器（Ｌｉｎｅ  Ｓｗｉｔｃｈ＝ＬＳ）の動作について「１」「０」で表現したデータベースである。このデータベースは事故前と事故後についてパソコンが演算して自動的に作成される。
【００４３】
【表５】
0004236822.tif 000006
【表６】
0004236822.tif 000007
【００４４】
このようにして作成されたデータベースを図７に示す自動復旧装置７４の情報制御装置７１に試験信号として入力して、テストを実行する。自動復旧装置７４の応答結果を結果確認表と比較照合して良否の判定を実施する。総ての、事故ケースについて判定「良」であれば出荷する。このようして人間がミスを発生し易いプロセスをパソコンにより作成することにより高速で正確に、自動復旧装置７４のシミュレーション用データを作成できる。従って、高度な技術者数をより少数でしかも短期間にテストできる。
【００４５】
上記Ｃ、Ｄステップの計算機によりシミュレーション用データベースを作成するシステムは図４の通りである。図４はシミュレーション用データベースを自動的に作成するシステム構成図である。このシステムによりシミュレーション用データベースを自動的に作成するフローは図５に示すとおりである。中央処理装置（ＣＰＵ）２１は母線２２を介してメインメモリ２３中の制御プログラムの指令により、電力送電回路データファイル２４から電力送電回路を読み出し表示装置２５に表示する。
【００４６】
この表示装置２５に表示された電力送電回路に故障標定一覧表、ポジション表に基づき、入力装置２６によりデータを故障ケース毎に入力する。入力されたデータは予め登録された制御プログラムにより、母線２２を介して画像処理装置２７、試験ケーステーブル２８、シミュレーションデータファイル２９、試験結果確認テーブル３０に登録されたデータと演算処理する。この演算処理により出力装置３１に、試験ケース表として系統状態確認図、描画データ確認図、シミュレーション用データベース、結果確認表、状変メッセージ表などを出力する。
【００４７】
このようなプロセスフローは図５の通りである。図５を参照してシミュレーション用データベース作成プロセスを説明する。
【００４８】
プロセス３５
パソコン画面において故障ケース毎に表１、２に示す故障標定表、ポジション表の情報を入力する。
【００４９】
プロセス３６
系統状態確認データファイルから図２に示す系統状態確認図を作成する。
【００５０】
プロセス３７
描画データ確認ファイルから図３に示す描画データ確認図を作成する。
【００５１】
プロセス３８
シミュレーションデータファイルから表５、６に示すようなシミュレーション用データベースを作成する。
【００５２】
プロセス３９
状変メッセージデータファイルから表３に示すような自動復旧装置の良否を判定するための状変メッセージ表を作成する。
【００５３】
プロセス４０
試験結果確認用データファイルから表４に示すような自動復旧装置の良否を判定するための試験結果確認表を作成する。
【００５４】
プロセス４１
シミュレーションデータベースを出力して終了する。
【００５５】
上記実施形態では電力送電回路として変電所の回線系送電回路に適用した実施形態について説明したが、電気回路であれば、発電所の送電回路でも、ビル内の電気室の送電回路でもその他、電気回路であればいずれでもよい。
【００５６】
【発明の効果】
この発明によれば、人間の方が信頼性の高い技術と人間によるミス発生確率の高い技術とを分析して、信頼性の高い事故自動復旧装置の試験を高速化できる。
【図面の簡単な説明】
【図１】図１は事故自動復旧装置を試験するためのシミュレーション用データベース作成手順を説明するためのフローチャートである。
【図２】図１の計算機の画面に入力する故障ケースの一実施形態を示した系統状態確認図。
【図３】図１の計算機の画面に入力する故障ケースの一実施形態を示した描画データ確認図。
【図４】変電所の母線から工場、ビル、需要者などへ送電する回線系統を示した回路結線図。
【図５】図４の自動復旧システムの構成を説明するための回路構成図。
【図６】図５の自動復旧装置を試験する従来のシミュレーション用データベースを作成する手順を説明するためのフローチャート。
【図７】従来の自動復旧システムを説明するための回路構成図。
【図８】従来の自動復旧装置を試験するためのシミュレーション用データベースを作成する手順を説明するためのフローチャート。
【符号の説明】
１…パソコン画面，    ２…試験ケース表，    ３…結果確認表，    ４，…シミュレーションデータベース，  ６…黒丸に×印，    ７…１重丸，    ８…２重丸，    ９…黒四角に×印，  １１…配線，  １２…ガス管，  １３…区画線、    ２１…ＣＰＵ，    ２２…母線，    ２３…メインメモリ，    ２４…電力送電回路データファイル，    ２５…表示装置，    ２６…入力装置，  ２７…画像処理装置，    ２８…試験ケーステーブル，    ２９…シミュレーションデータファイル，    ３０…試験結果確認テーブル。
【図１】
0004236822.tif 000008
【図２】
0004236822.tif 000009
【図３】
0004236822.tif 000010
【図４】
0004236822.tif 000011
【図５】
0004236822.tif 000012
【図６】
0004236822.tif 000013
【図７】
0004236822.tif 000014
【図８】
0004236822.tif 000015